(57)【特許請求の範囲】
【請求項１】
縦方向および横方向と、身体側および着衣側と、前記縦方向に連なる前ウエスト域、後ウエスト域および前記前後ウエスト域間に位置するクロッチ域と、少なくとも前記クロッチ域に配置される吸液構造体とを有するシャーシと、前記前後ウエスト域の少なくともいずれか一方の端縁に沿って伸長状態で取り付けられたウエスト弾性体とを含む吸収性物品において、
前記ウエスト弾性体は、前記縦方向に延びるとともにその厚さ方向に貫通して形成されたスリットを含み、前記スリットは前記ウエスト弾性体によって前記横方向に伸長され開孔部を形成することが可能であり、
前記スリットの周縁であって前記着衣側に表示された第１絵柄表示部を含み、前記第１絵柄表示部は、音符の符幹と符尾のみが画かれ、前記符幹は前記スリットに接続するように画かれ、前記符頭が画かれておらず、着用状態では、前記スリットの前記開孔部が前記符頭となることによって協働して前記音符であるイラストを構成し、
前記スリットが取り付けられた前記前後ウエスト域の着衣側に表示され、前記第１絵柄表示部とは異なる位置の第２絵柄表示部をさらに含み、
前記第２絵柄表示部は、キャラクターが楽器を持っている絵柄で構成され、
前記第２絵柄表示部の前記キャラクターの前記楽器の前記絵柄と前記第１絵柄表示部の前記符幹および前記符尾の絵柄とが有意義に関連付けられていることを特徴とする前記吸収性物品。
【請求項２】
縦方向および横方向と、身体側および着衣側と、前記縦方向に連なる前ウエスト域、後ウエスト域および前記前後ウエスト域間に位置するクロッチ域と、少なくとも前記クロッチ域に配置される吸液構造体とを有するシャーシと、前記前後ウエスト域の少なくともいずれか一方の端縁に沿って伸長状態で取り付けられたウエスト弾性体とを含む吸収性物品において、
前記ウエスト弾性体は、前記縦方向に延びるとともにその厚さ方向に貫通して形成されたスリットを含み、前記スリットは前記ウエスト弾性体によって前記横方向に伸長され開孔部を形成することが可能であり、
前記スリットの周縁であって前記着衣側に表示された第１絵柄表示部を含み、前記第１絵柄表示部は、根元が前記スリットに接続するように画かれた矢印で構成され、着用状態では、前記スリットが前記開孔部となることによって前記開孔部から前記矢印が飛び出ているイラストを構成し、
前記スリットが取り付けられた前記前後ウエスト域の着衣側に表示され、前記第１絵柄表示部とは異なる位置の第２絵柄表示部をさらに含み、
前記第２絵柄表示部は、動作をしているキャラクターであって、前記キャラクターがうちわを扇いでいる絵柄で構成され、
前記第２絵柄表示部の前記キャラクターの前記うちわの絵柄と前記第１絵柄表示部の前記矢印の絵柄とが有意義に関連付けられていることを特徴とする前記吸収性物品。
【請求項３】
前記シャーシは、身体側を形成する内面シートと、着衣側を形成する外面シートとを含み、前記内外面シートの間に前記ウエスト弾性体が取り付けられ、前記スリットは前記内外面シートをもその厚さ方向に貫通する請求項１または２に記載の吸収性物品。
【請求項４】
前記スリットは、前記横方向に複数設けてあり、
前記第１絵柄表示部は、前記横方向における前記スリットと前記スリットとの間に画いた「♯」を含む請求項１に記載の吸収性物品。
【請求項５】
前記シャーシは、身体側を形成する内面シートと、着衣側を形成する外面シートとを含み、
前記符幹、前記符尾、および前記♯は前記ウエスト弾性体に画かれており、前記外面シートは、透明または半透明に形成してある請求項４に記載の吸収性物品。
【発明の詳細な説明】
【技術分野】
【０００１】
この発明は、吸収性物品に関し、さらに詳しくは使い捨てのおむつ、排便トレーニングパンツ、失禁ブリーフ等の吸収性物品に関する。
【背景技術】
【０００２】
従来、使い捨てのおむつにおいて、ウエスト弾性部材にスリットを形成した構造として、例えば特開２００２−６５７３１号公報（特許文献１）が公知である。この特許文献１によれば、おむつは前後ウエスト域およびクロッチ域と、着用者側内面および着衣側外面を含む吸液性シャーシと、前後ウエスト域の横方向に取り付けられたシート状のウエスト弾性部材とを含む。ウエスト弾性部材には、縦方向に延びる複数のスリットを形成している。このスリットはウエスト弾性部材およびシャーシを身体側から着衣側へとその厚み方向に貫通している。このようにスリットを形成することによって、おむつ内部の蒸れを防止するようにしている。
【０００３】
また、使い捨ておむつにおいて、その着衣側外面にキャラクター図柄を付したものとして、例えば特表２００３−５０１２１１号公報（特許文献２）が公知である。この特許文献２によれば、最初からおむつに画かれている図柄と、排尿等によって後から現れる絵柄とがあり、これら両者の絵柄に関連性を持たせるようにしている。このように絵柄に関連性を持たせることにより、親子の対話を誘発するようにしている。
【特許文献１】特開２００２−６５７３１号公報
【特許文献２】特表２００３−５０１２１１号公報
【発明の開示】
【発明が解決しようとする課題】
【０００４】
おむつの着用者が乳幼児の場合には、おむつ交換の間に退屈して動き回ることがある。このような場合に、乳幼児を退屈させないようにするためには、変化する絵柄を見せたり、この絵柄について話しかけたりすることが効果的である。
しかし、引用文献１のおむつにおいては、着用時にウエスト弾性部材が伸長し、スリットが開いてウエスト弾性部材に開孔が形成されるだけであって、この開孔は視認され難く、親子の対話などには寄与していなかった。
引用文献２のおむつにおいては、関連性を有する絵柄は排尿等のときに現れるものであり、おむつの交換時にこの絵柄が現れることはほとんどない。
【０００５】
本発明では、特におむつの交換時に着用者に変化した絵柄を視認させることができる吸収性物品を提供することを課題とする。
【課題を解決するための手段】
【０００６】
本発明は、第１発明と第２発明とを含む。第１発明及び第２発明は、縦方向および横方向と、身体側および着衣側と、前記縦方向に連なる前ウエスト域、後ウエスト域および前記前後ウエスト域間に位置するクロッチ域と、少なくとも前記クロッチ域に配置される吸液構造体とを有するシャーシと、前記前後ウエスト域の少なくともいずれか一方の端縁に沿って伸長状態で取り付けられたウエスト弾性体とを含む吸収性物品の改良に関わる。
【０００７】
第１発明は、前記吸収性物品において、前記ウエスト弾性体は、前記縦方向に延びるとともにその厚さ方向に貫通して形成されたスリットを含み、前記スリットは前記ウエスト弾性体によって前記横方向に伸長され開孔部を形成することが可能であり、前記スリットの周縁であって前記着衣側に表示された第１絵柄表示部を含み、前記第１絵柄表示部は、音符の符幹と符尾のみが画かれ、前記符幹は前記スリットに接続するように画かれ、前記符頭が画かれておらず、着用状態では、前記スリットの前記開孔部が前記符頭となることによって協働して前記音符であるイラストを構成し、前記スリットが取り付けられた前記前後ウエスト域の着衣側に表示され、前記第１絵柄表示部とは異なる位置の第２絵柄表示部をさらに含み、前記第２絵柄表示部は、キャラクターが楽器を持っている絵柄で構成され、前記第２絵柄表示部の前記キャラクターの前記楽器の絵柄と前記第１絵柄表示部の前記符幹および前記符尾の絵柄とが有意義に関連付けられていることを特徴とする。
【０００８】
第２発明は、前記吸収性物品において、前記ウエスト弾性体は、前記縦方向に延びるとともにその厚さ方向に貫通して形成されたスリットを含み、前記スリットは前記ウエスト弾性体によって前記横方向に伸長され開孔部を形成することが可能であり、前記スリットの周縁であって前記着衣側に表示された第１絵柄表示部を含み、前記第１絵柄表示部は、根元が前記スリットに接続するように画かれた矢印で構成され、着用状態では、前記スリットが前記開孔部となることによって前記開孔部から前記矢印が飛び出ているイラストを構成し、前記スリットが取り付けられた前記前後ウエスト域の着衣側に表示され、前記第１絵柄表示部とは異なる位置の第２絵柄表示部をさらに含み、前記第２絵柄表示部は、動作をしているキャラクターであって、前記キャラクターがうちわを扇いでいる絵柄で構成され、前記第２絵柄表示部の前記キャラクターの前記うちわの絵柄と前記第１絵柄表示部の前記矢印の絵柄とが有意義に関連付けられていることを特徴とする。
【０００９】
好ましい他の実施態様のひとつとして、前記シャーシは、身体側を形成する内面シートと、着衣側を形成する外面シートとを含み、前記内外面シートの間に前記ウエスト弾性体が取り付けられ、前記スリットは前記内外面シートをもその厚さ方向に貫通する。
【００１０】
好ましい他の実施態様のひとつとして、前記スリットは、前記横方向に複数設けてあり、前記第１絵柄表示部は、前記横方向における前記スリットと前記スリットとの間に画いた「♯」を含む。
好ましい他の実施態様のひとつとして、前記シャーシは、身体側を形成する内面シートと、着衣側を形成する外面シートとを含み、前記符幹、前記符尾、および前記♯は前記ウエスト弾性体に画かれており、前記外面シートは、透明または半透明に形成してある。
【発明の効果】
【００１１】
ウエスト弾性体には、縦方向に延びるとともにその厚さ方向に貫通するスリットを形成し、スリットはウエスト弾性体によって前記横方向に伸長され開孔部を形成する。スリットの周縁であって着衣側には開孔部と協働してイラストを表示する第１絵柄表示部を形成することとしたので、吸収性物品の着用時にウエスト弾性体が伸長して開孔部を形成するとともに、この開孔部と協働して第１絵柄表示部の絵柄が変化するようにしている。したがって、着用時にイラストの変化を認識することができ、特に着用者が乳幼児等の場合には、着用者に退屈させることがなく、着用者との対話を促進することができる。また、着用者である乳幼児の知育にも寄与することができる。
【００１２】
スリットが取り付けられた前後ウエスト域の着衣側に第２絵柄表示部をさらに形成することとし、第２絵柄表示部には、第１絵柄表示部の絵柄に有意義に関連付けられた絵柄が表示されることとしたので、より一層着用者に退屈させることがなく、着用者が乳幼児である場合には知育への貢献を期待することができる。
【００１３】
シャーシを形成する内外面シートの間にウエスト弾性体を取り付け、スリットは内外面シートをもその厚さ方向に貫通することとしたので、開孔部が認識されやすくなり、第１絵柄表示部に表示される絵柄を明確にすることができる。
【００１４】
第１および第２絵柄表示部を前ウエスト域側に形成することとしたので、着用者がその着用時に絵柄を認識しやすい。
【発明を実施するための最良の形態】
【００１５】
吸収性物品として使い捨ておむつを用い、本発明の一例を説明する。
＜第１の実施形態＞
【００１６】
図１は、いわゆるオープン型のおむつ１を展開した状態の平面図であり、説明のためその一部を破断している。図示したように、おむつ１はシャーシ２と、ウエスト弾性体３と、レッグ弾性体４とを含む。シャーシ２は、縦方向Ｙに連なる前ウエスト域５、後ウエスト域６、これら前後ウエスト域５，６間に位置するクロッチ域７とを含む。縦方向Ｙに直交する方向を横方向Ｘとしている。
シャーシ２は、身体側内面を形成する内面シート８と、着衣側外面を形成する外面シート９とを含み、これら内外面シート８，９との間であって、少なくともクロッチ域７には吸液構造体１０が配置されている。内外面シート８，９は通気性不織布等を用いることができる。
【００１７】
吸液構造体１０は、フラッフパルプと高吸収性ポリマー粒子との混合物等によって形成される吸液性芯材１１と、吸液性芯材１１を覆うティッシュペーパ等の拡散シート１２とを含む。吸液構造体１０と外面シート９との間にはプラスチックフィルム等から形成された漏れバリアシート１３が取り付けられ、尿等の排泄物がおむつ１外に漏れるのを防止している。
【００１８】
シャーシ２は、縦方向Ｙに対向して横方向Ｘに延びる前後端縁１４，１５を含み、後端縁１５に沿ってウエスト弾性体３を取り付けている。ウエスト弾性体３は、伸縮性シートによって形成され、横方向Ｘに伸長状態で取り付けられる。
ウエスト弾性体３には、縦方向Ｙに延びる複数のスリット１６を形成している。スリット１６は縦方向Ｙに対して２列形成されるとともに、横方向Ｘに対してほぼ等間隔に形成されている。ただし、スリット１６は２列に限定されることなく、ウエスト弾性体３の大きさや素材等によって適宜変更可能である。スリット１６は、内外面シート８，９とともに、着用者内面から外面へと厚さ方向に貫通して形成されている。
【００１９】
シャーシ２は、横方向Ｘに対向して縦方向Ｙに延びる両側縁１７を含む。両側縁１７は前ウエスト域５に位置する前側縁１８と、後ウエスト域６に位置する後側縁１９と、クロッチ域７に位置するレッグ側縁２０とを含む。レッグ側縁２０は、おむつ１の横方向Ｘの寸法を二等分する縦中心線Ｐ−Ｐに向かって凸となるように湾曲し、シャーシ２が砂時計型を形成するようにしている。
【００２０】
両側縁１７には、レッグ側縁２０に沿って延びる複数のレッグ弾性体４を取り付けている。レッグ弾性体４は、内外面シート８，９の間に伸長状態で取り付けられる。レッグ弾性体４によって、レッグ側縁２０が着用者の脚周りにフィットして、脚周りからの尿等の漏れを防止することができる。
後側縁１９であって外面シート９には、横方向Ｘに延びるテープファスナとしてメカニカルファスナのフック２１を取り付けている。前ウエスト域５の外面シート９には、フック２１に係合可能なメカニカルファスナのループ２２を取り付けている。
【００２１】
図２は、おむつ１を外面シート９側から見た場合の平面図である。この図において、ウエスト弾性体３は収縮した状態を示している。図示したように、スリット１６の周縁には、第１絵柄表示部２３が形成されている。第１絵柄表示部２３には、音符の符幹と符尾のみが画かれ、符頭が画かれていない。符幹はスリット１６に接続するようにして画かれるようにしている。符幹および符尾は、ウエスト弾性体３に画いて外面シート９を介して視認されるようにしてもよいし、外面シート９に画くようにしてもよい。ただし、ウエスト弾性体３に画く場合には、絵柄が視認できるように外面シート９を透明または半透明にすることが望ましい。
【００２２】
おむつ１の外面シート９であって、第１絵柄表示部２３よりもシャーシ２の縦方向Ｙの寸法を二等分する横中心線Ｑ−Ｑ側に第２絵柄表示部２４が形成されている。すなわち、第２絵柄表示部２４は、後ウエスト域６からクロッチ域７に向かって形成されている。第２絵柄表示部２４には、キャラクターが楽器を演奏している絵が画かれている。第２絵柄表示部２４は、外面シート９に直接画かれるようにしてもよいし、例えば漏れバリアシート１３の外面シート９との対向面に画かれるようにしてもよい。ただし、漏れバリアシート１３に画く場合には、外面シート９を介して絵柄が視認できるように、外面シート９を透明または半透明にすることが望ましい。
【００２３】
図３，４は、上記のようなおむつ１の着用状態を示したもので、図３はおむつ１を前ウエスト域５側から見たものである。おむつ１を着用させるときには、内面シート８を着用者側に対向させ、フック２１を引っ張ってウエスト弾性体３を伸長させながら、フック２１をループ２２に係合させる。フック２１とループ２２とを係合させることによってパンツ型とすることができ、前後端縁１４，１５によってウエスト開口２５が形成され、レッグ側縁２０によってレッグ開口２６が形成される。
【００２４】
図４はおむつ１を後ウエスト域６側から見たものである。図示したように、おむつ１の着用時にはウエスト弾性体３が伸長するから、ウエスト弾性体３に形成したスリット１６が横方向Ｘに引っ張られるとともに、ウエスト弾性体３に接合する内外面シート８，９も横方向Ｘに引っ張られる。したがって、スリット１６によって、おむつ１を着用者側から着衣側へと貫通する開孔部２７が形成される。開孔部２７を形成するスリット１６の周縁に位置する第１絵柄表示部２３には、スリット１６に重なる符幹と符尾とが画かれている。したがってスリット１６が広がって開孔部２７となったときには、この開孔部２７が符頭と認識され、開孔部２７と協働して音符が形成される。
【００２５】
上記のようにおむつ１の着用時に、隠れていた絵が現れるようになることで、着用者は絵の変化を認識することができる。特に着用者が乳幼児の場合には、この絵の変化に注意を向けることができ、乳幼児を退屈させることがなく、おむつ１の交換をスムーズにおこなうことができる。
【００２６】
第１絵柄表示部２３の横中心線Ｑ−Ｑ側には第２絵柄表示部２４を形成し、この第２絵柄表示部２４には、キャラクターが楽器を持っている絵を画いている。したがって、第１絵柄表示部２３に現れた音符があたかもキャラクターの楽器から出ているように、すなわちキャラクターが楽器を演奏しているように想起させることができる。これら第１絵柄表示部２３と第２絵柄表示部２４とが意義のある関連性を有するようにすることによって、より一層、着用者の興味を引くことができ、着用者を退屈させることがない。
さらに、スリット１６によって開孔部２７が形成されるので、おむつ１の内部の蒸気を、開孔部２７を介して放出することができ、おむつ１内の蒸れを防止することができる。
【００２７】
この実施形態において、後ウエスト域６にウエスト弾性体３を取り付けるようにしているが、前ウエスト域５に取り付けてもよく、前後ウエスト域５，６の両方に取り付けるようにしてもよい。また、前後ウエスト域５，６の両方にウエスト弾性体３を取り付けた場合には、そのいずれか一方にスリット１６を形成するようにしてもよいし、その両方にスリット１６を形成するようにしてもよい。
スリット１６は内外面シート８，９およびウエスト弾性体３を貫通するようにして形成しているが、少なくともウエスト弾性体３を厚さ方向に貫通していればよく、内外面シート８，９を厚さ方向に貫通しないものであってもよい。
＜第２の実施形態＞
【００２８】
図５，６はこの発明の第２の実施形態を示したものである。この第２の実施形態においては、第１および第２絵柄表示部２３，２４を前ウエスト域５側に形成することとし、おむつ１としていわゆるプルオン・パンツ型のものを用いることを特徴とする。この特徴以外の構成要素は、第１の実施形態と同様であるのでその構成要素については詳細な説明を省略する。
【００２９】
図５は、おむつ１を展開させた状態で外面シート９側から見たものであり、各弾性体の収縮力を作用させない状態を示している。この第２の実施形態では図示したように、前後ウエスト域５，６のいずれにも、前後端縁１４，１５に沿って前後ウエスト弾性体２８，２９を取り付けている。前後ウエスト弾性体２８，２９は伸縮性シートによって形成され、内外面シート８，９の間に接合されるとともに、横方向Ｘに伸長状態で取り付けられている。
【００３０】
前後ウエスト弾性体２８，２９には、縦方向Ｙに二列に並ぶとともに、横方向Ｘにほぼ等間隔に並んだ複数のスリット１６が形成されている。スリット１６は内外面シート８，９および前後ウエスト弾性体２８，２９をそれぞれ身体側から着衣側へと貫通して形成されている。
【００３１】
スリット１６の周縁であって外面シート９側には、第１絵柄表示部２３が形成されている。第１絵柄表示部２３には、スリット１６から横中心線Ｑ−Ｑに向かう矢印が画かれている。おむつ１の外面シート９側であって、第１絵柄表示部２３よりも横中心線Ｑ−Ｑ側に第２絵柄表示部２４が形成されている。第２絵柄表示部２４は、前ウエスト域５からクロッチ域７に亘って形成されている。第２絵柄表示部２４には、キャラクターがうちわで扇いでいる絵が画かれている。
【００３２】
図６はおむつ１の着用状態を示したものである。この実施形態に示したパンツ型のおむつ１では、前側縁１８と後側縁１９とを互いに接合して接合部位３０を形成し、パンツ型となるようにしている。この図６はおむつ１を前ウエスト域５側から見たものである。図示したように、おむつ１の着用時には前後ウエスト弾性体２８，２９が伸長するから、前後ウエスト弾性体２８，３９に形成したスリット１６が横方向Ｘに引っ張られるとともに、前後ウエスト弾性体２８，２９が接合された内外面シート８，９も横方向Ｘに引っ張られる。したがって、スリット１６によって、おむつ１を着用者側から着衣側へと貫通する開孔部２７が形成される。前ウエスト域５においては、スリット１６の周縁に第１絵柄表示部２３を形成しているので、スリット１６が広がって開孔部２７が形成されたときには、開孔部２７と絵柄が協働して開孔部２７から矢印が飛び出ているように視認される。したがって、着用者は変化する絵柄を視認することができ、退屈することがない。
【００３３】
第１絵柄表示部２３の横中心線Ｑ−Ｑ側には第２絵柄表示部２４が形成され、キャラクターがうちわを扇いでいる様子が画かれている。したがって、あたかもキャラクターが扇ぐことによって開孔部２７が開き、開孔部２７から風が吹いてきているように視認することができる。
このように第１絵柄表示部２３と第２絵柄表示部２４とが有意義に関連付けられているので、着用者はより一層興味を示し、着用者を退屈させることがなく、知育に寄与することもできる。
【００３４】
この実施形態では、前ウエスト域５に第１および第２絵柄表示部２３，２４を形成することとしているので、着用者から絵柄が見えやすく、着用者の興味を引きやすくすることができる。
【００３５】
この実施形態では、前ウエスト弾性体２８側にのみ第１絵柄表示部２３および第２絵柄表示部２４を形成しているが、スリット１６が形成された前後ウエスト弾性体２８，２９の両方に第１絵柄表示部２３および第２絵柄表示部２４を形成するようにしてもよい。
【図面の簡単な説明】
【００３６】
【図１】第１の実施形態のおむつを着用者側から見たときの平面図。
【図２】図１のおむつを着衣側から見たときの平面図。
【図３】着用状態のおむつを前ウエスト域側から見たときの斜視図。
【図４】着用尾状態のおむつを後ウエスト域側から見たときの斜視図。
【図５】第２の実施形態のおむつを着衣側から見たときの平面図。
【図６】着用状態のおむつを前ウエスト域側から見たときの斜視図。
【符号の説明】
【００３７】
１    おむつ
２    シャーシ
３    ウエスト弾性体
４    レッグ弾性体
５    前ウエスト域
６    後ウエスト域
７    クロッチ域
８    内面シート
９    外面シート
１０    吸液構造体
１６    スリット
２３    第１絵柄表示部
２４    第２絵柄表示部
２７    開孔部
２８    前ウエスト弾性体
２９    後ウエスト弾性体
【図１】
0005270204.tif 000002
【図２】
0005270204.tif 000003
【図３】
0005270204.tif 000004
【図４】
0005270204.tif 000005
【図５】
0005270204.tif 000006
【図６】
0005270204.tif 000007